(57)【要約】【課題】  隣接する側板同士の組立を堅牢にして衝撃が加えられても容易には外れない組立式合成樹脂製容器を提供する。【解決手段】  隣接する側板同士を組み立てた際に隣接する側板に上部係合部と下部係合部を設けてなる。上部係合部は、最初に折り畳まれる側板の内面両端部の内面と同一方向の基部と前記基部から突出した挿入部とからなる略Ｌ字状係止突部と、後から折り畳まれる側板の両端部から側板を直角方向に延長して突設した突出部の内面に方形状の枠部を設け、前記枠部の突出部に切欠を設けて形成した透孔とからなる。また、下部係合部は、最初に折り畳まれる側板の両端の平面略Ｌ字状突起と、後から折り畳まれる側板の両端部の突出部に内向きに突設した係合板とからなる。前記後から折り畳まれる側板に設ける方形状の枠部の厚さ寸法は、下部係合部における係合板の突出幅寸法よりも大きく形成した。【選択図】        図２
2010241470.tif 000002
【特許請求の範囲】
【請求項１】
平面方形状の底板と、前記底板の側端縁に沿って折曲自在に連結された４つの側板とからなり、前記各側板はそれぞれ対向する側板を対にして内側に折り畳むことができる組立式の合成樹脂製容器において、隣接する側板同士を組み立てた際に外側に回動するのを防止するように隣接する側板の両側端部に上部係合部と下部係合部を設けてなり、前記上部係合部は、最初に折り畳まれる側板の内面両端部に内面と同一方向に突出した基部と前記基部から直角方向に突出した挿入部とからなる略Ｌ字状係止突部と、後から折り畳まれる側板の両端部から側板の外側を直角方向に延長して突設した突出部の内面に方形状の枠部を設け、前記枠部を設けてなる部分の突出部に切欠を設けることによって前記枠部内に形成した透孔とからなるとともに、前記略Ｌ字状係止突部を前記透孔に挿入するように形成してなり、前記下部係合部は、最初に折り畳まれる側板の両端に突設した平面略Ｌ字状突起と、後から折り畳まれる側板の両端部から直角方向に延設した前記突出部に側板の内面と平行に内向きに突設した係合板とからなるとともに、前記平面略Ｌ字状突起を前記係合板とを係合するように形成してなり、前記後から折り畳まれる側板に設けられる方形状の枠部の厚さ寸法は、下部係合部における係合板の突出幅寸法よりも大きく形成したことを特徴とする組立式合成樹脂製容器。
【請求項２】
下部係合部を構成する最初に折り畳まれる側板に突設した平面略Ｌ字状突起は、複数に分割して形成されていることを特徴とする請求項１に記載の組立式合成樹脂製容器。
【発明の詳細な説明】
【技術分野】
【０００１】
この発明は、方形状底板の四辺にヒンジ部又は回動軸を介して側板が配設されており、折り畳み状態から簡単に組み立てられ、また簡単に折り畳むことができる組立自在な合成樹脂製容器に係り、詳しくは側板を組み立てたとき係合部分が外れることなく堅牢に組み立てることができる組立式合成樹脂製容器に関するものである。
【背景技術】
【０００２】
従来、平面形状が方形状に形成された底板の四辺にヒンジ部又は回転軸部を介して側板を立設し、前記側板同士を係合することによって組み立てられ、側板同士の係合状態を解除することによって内側に折り畳まれるようにした組立式の合成樹脂製容器が使用されている。合成樹脂製容器は、耐久性に優れており繰り返して使用することができるとともに、近年提起されている省資源の点からもダンボール箱に代わって多用されている。
【０００３】
このような容器として、例えば、特開２００６−１４３３００号公報及び特開２００７−１０６４９９号公報に開示された折り畳みコンテナーがある。特開２００７−１０６４９９号公報に記載されている図４を図８に、図１４を図９にそれぞれ示した。
【０００４】
特開２００７−１０６４９９号公報に開示された折り畳みコンテナーは、後から倒される相対する一方の長側壁２の両垂直端には、図８に示すように、板状部２ａの内面２ａ１に対して、略垂直な縦長の係合枠２ｂが形成されており、係合枠２ｂには、上下方向に所定の間隔を置いて板状部２ａに略平行な嵌合孔２ｂ１が形成されている。
【０００５】
また、係合枠２ｂ付近に位置する板状部２ａの上部角部には、上下方向に所定の間隔を置いて形成された一対の水平溝部２ｃ１と、係合枠２ｂ側に位置する水平溝部２ｃ１の端部に連結する垂直溝とからなる略コの字状のスリット２ｃが形成されており、長側壁２には、係合枠２ｂ側に自由端部を有する弾性舌片４が形成されている。この弾性舌片４の先端面４ａ１は、係合枠２ｂと略平行な平坦面として形成されており、係止突部４ａの側面４ａ２は、係止突部４ａの先端面４ａ１に向かうに従って、係合枠２ｂの先端方向に傾斜した傾斜面に形成されている。
【０００６】
また、図９に示すように、最初に倒される相対する一方の短側壁３に上下動可能なロック部材５を取り付けるとともに、両側端に延在することにより形成された縦長の帯状枠３ｐに嵌合突部３ｐ１が突設されている。この嵌合突部３ｐ１は、箱型に組み立てた際に長側壁２の係合枠２ｂに形成された嵌合孔２ｂ１に挿入されるように構成されており、帯状枠３ｐには前記嵌合孔２ｂ１と同じ数の嵌合突部３ｐ１が突設されている。
【０００７】
上記構成の折り畳みコンテナーを箱型に組み立てる作業について説明すると、まず短側壁３に重ねられた略水平状態の長側壁２を垂直方向に回動させて略垂直に立てる。次いで、底板に重なるように折り畳まれている短側壁３を垂直方向に回動させると、短側壁３の帯状枠３ｐが長側壁２に形成された係合枠２ｂに対向するように接近し、短側壁３に取り付けられたロック部材５の当接杆５ｂが長側壁２の内面に突出している弾性舌片４を外側方向に弾性舌片４の弾性に抗して湾曲させる。
【０００８】
さらに、短側壁３を回動させると、短側壁３の帯状枠３ｐに突設された嵌合突部３ｐ１が長側壁２の係合枠２ｂに形成された嵌合孔２ｂ１に挿入される。前記過程において、短側壁３に取り付けられたロック部材５の当接杆５ｂは、長側壁２の弾性舌片４の係止突部４ａから外れて弾性舌片４がその弾性により元の位置に戻り、係合枠２ｂとの間に形成された間隙に挿入されることになる。
【０００９】
従って、短側壁３が底部方向に回動しようとしても、当接杆５ｂが弾性舌片４の係止突部４ａに当接し、回動が阻止される。また、短側壁３の帯状枠３ｐに突設された嵌合突部３ｐ１が長側壁２の係合枠２ｂに形成された嵌合孔２ｂ１に挿入されることによって、長側壁２と短側壁３との係合状態が維持され、長側壁２の外側方向への回動が阻止されることになる。
【特許文献１】特開２００６−１４３３００号公報
【特許文献２】特開２００７−１０６４９９号公報
【発明の開示】
【発明が解決しようとする課題】
【００１０】
上記公報記載の容器は、短側壁３に取り付けたロック部材５の当接杆５ｂが長側壁２に形成した弾性舌片４の係止突部４ａに当接することによって底部方向への回動が阻止されるものの、長側壁２と短側壁３とは、短側壁３の帯状枠３ｐに突設された嵌合突部３ｐ１が長側壁２の係合枠２ｂに形成された嵌合孔２ｂ１に挿入されることによって係合しているにすぎない。従って、長側壁２に外側方向への大きな衝撃が加わった際に短側壁との係合状態が解除されるおそれがある。
【００１１】
特に、短側壁３の嵌合突部３ｐ１と長側壁２の嵌合孔２ｂ１は上下方向において同じ大きさに形成されているから、上部ほど嵌合突部３ｐ１が嵌合孔２ｂ１から外れ易くなるという問題がある。
【００１２】
この発明はかかる現況に鑑みてなされたもので、底板に４つの側板を折曲自在に連結してなる組立式合成樹脂製容器において、長辺側の側板と短辺側の側板とを確実に係合させて、大きな衝撃が加わった際にも外れるおそれのない堅牢な組立式合成樹脂製容器を提供せんとするものである。
【課題を解決するための手段】
【００１３】
この発明は上記目的を達成するために次のような構成とした。即ち、この発明に係る組立式合成樹脂製容器は、平面方形状の底板と、前記底板の側端縁に沿って折曲自在に連結された４つの側板とからなり、前記各側板はそれぞれ対向する側板を対にして内側に折り畳むことができる組立式の合成樹脂製容器において、隣接する側板同士を組み立てた際に外側に回動するのを防止するように隣接する側板の両側端部に上部係合部と下部係合部を設けてなる。前記上部係合部は、最初に折り畳まれる側板の内面両端部に内面と同一方向に突出した基部と前記基部から直角方向に突出した挿入部とからなる略Ｌ字状係止突部と、後から折り畳まれる側板の両端部から側板の外側を直角方向に延長して突設した突出部の内面に方形状の枠部を設け、前記枠部を設けてなる部分の突出部に切欠を設けることによって前記枠部内に形成した透孔とからなるとともに、前記略Ｌ字状係止突部を前記透孔に挿入するように形成してなる。また、前記下部係合部は、最初に折り畳まれる側板の両端に突設した平面略Ｌ字状突起と、後から折り畳まれる側板の両端部から直角方向に延設した前記突出部に側板の内面と平行に内向きに突設した係合板とからなるとともに、前記平面略Ｌ字状突起を前記係合板とを係合するように形成してなる。前記後から折り畳まれる側板に設けられる方形状の枠部の厚さ寸法は、下部係合部における係合板の突出幅寸法よりも大きく形成してなる。
【００１４】
そして、下部係合部を構成する最初に折り畳まれる側板に突設した平面略Ｌ字状突起は、複数に分割して形成することができる。
【発明の効果】
【００１５】
この発明は、上記説明から明らかなように、隣接する側板同士を組み立てた際に外側に回動して外れ易い側板の上部において、上部係合部を下部係合部よりも係合部の厚さ寸法を大きくしたから、大きな衝撃が加わり多少ずれても外れることがなく、安全に保管、運搬することができる。
【発明を実施するための最良の形態】
【００１６】
以下に、この発明に係る組立式合成樹脂製容器を図示する実施形態について説明する。なお、この発明に係る組立式合成樹脂製容器は、従来例で説明した容器と基本的には同様に構成されている。すなわち、図１に示すように、容器１０は、方形状の底板１１の端縁部に沿って、最初に折り畳まれる対向する短辺側の一対の側板１３，１３と、後から折り畳まれる対向する長辺側の一対の側板１５，１５の４枚の側板が配設されている。前記４枚の側板１３,１３及び側板１５，１５は、底板１１の端縁部に設けられた図示しない回動軸によってそれぞれ回動自在に軸着している。
【００１７】
そして、この実施形態では、前記短辺側の側板１３，１３を先に底板方向の内側に折り畳み、前記折り畳んだ短辺側の側板１３，１３の上に長辺側の側板１５，１５を後から折り畳む。そして、後から折り畳む側板１５，１５が水平になるように、長辺側の側板１５，１５の回動軸は、底板１１から突設した高さ調整部１７、１７の上に配設されている。最終の折り畳み状態は、全体がほぼ水平な板状態となる（図示省略）。
【００１８】
上記短辺側の側板１３，１３と長辺側の側板１５，１５の垂直な両端部には、前記側板１３，１３と側板１５，１５とをそれぞれ立ち上げて組み立てた際に、外側に回動するのを防止する上部係合部１８と下部係合部１９が設けられている。前記上部係合部１８と下部係合部１９は、長辺側の側板１５，１５の両端部から直角方向に延設した突出部と、短辺側の側板１３、１３の両端部の係合部とによって形成されている。
【００１９】
次に、上記上部係合部１８を構成する長辺側の側板１５，１５の上部に形成された透孔２０について説明する。前記透孔２０は、図２及び図３に示すように、後から折り畳まれる長辺側の側板１５，１５の垂直な両側端部から側板１５，１５の内面に対して直角方向に突出した突出部２５，２５に形成されている。前記突出部２５，２５は、側板１５，１５の外面を延長した同一面を有する延長板によって形成されており、先に折り畳まれる短辺側の側板１３，１３を当接し、外側への回動を防止するとともに、上記上部係合部１８と下部係合部１９を設けるのに十分な突出幅に形成されている。
【００２０】
前記透孔２０は、突出部２５の内面に枠部２７を突設することによって形成されている。即ち、枠部２７は、下部係合部１９を形成する部分よりも水平方向における厚みが厚く形成されており、長辺側の側板１５，１５の厚さとほぼ同じ厚さに形成されている。透孔２０は、突出部２５の内側に側板１５，１５の厚さとほぼ同じ寸法の枠部２７を突設するとともに、枠部２７を設けた部分の突出部２５を切り欠いて外面側に切欠２８を設けることによって形成されている。
【００２１】
従って、透孔２０の垂直方向における内面は、長辺側の側板１５，１５の内面を延長した面と同一面であり、外面側は切欠２８によって凹んで形成されている。透孔２０は、外面側に切欠２８を設けることによって塞がれることもなく貫通しているから、突出部２５の肉厚分だけ短辺側の側板の両端部に突設した係止突部の挿入長さを長くすることができる。
【００２２】
一方、上部係合部１８を構成する短辺側の両端部に突設した係止突部２１は、図２及び図６に示すように、短辺側の側板１３，１３の両側面において、基部２１ａと挿入部２１ｂとによって略Ｌ字状に形成されており、側板１３，１３の内側面から外向き（側板１３，１３の外面側方向）に形成されている。さらに、係止突部２１は、短辺側の側板１３，１３を起立させて長辺側の側板１５，１５と組み立てたとき、前記透孔２０に挿入されるように形成されており、挿入部２１ｂの先端面は突出部２５の外面とほぼ同一面となる長さに形成されている。
【００２３】
図６に示すように、係止突部２１の挿入部２１ｂが透孔２０に挿入されると、前記係止突部２１の挿入部２１ｂと短辺側の側板１３，１３の両側面との間に、前記透孔２０を形成する枠部２７の一部が嵌合することになる。
【００２４】
次に、側板１３，１３と側板１５，１５を組み立てたとき、側板１５，１５の外側への回動を防止する下部係合部１９の構成について説明する。前記下部係合部１９は、長辺側の側板１５の突出部２５に突設した係合板３０と、短辺側の側板１３の垂直な両側端面に突設したＬ字条突起２３によって構成されている。
【００２５】
前記係合板３０は、後から折り畳まれる長辺側の側板１５，１５の垂直な両側端部を直角方向に延長して突設した突出部２５，２５に長辺側の側板１５，１５の内面と平行に突設されている。係合板３０の突出幅は、上記枠部２７の突出幅のほぼ半分程度である。このように、長辺側の側板１５，１５の内面と突出部２５，２５と係合板３０，３０によって、平面において略コ字状の凹部３１が形成されることになる(図７参照)。
【００２６】
一方、短辺側の側板１３の垂直な両側端部には、下部係合部１９を構成する平面略Ｌ字状突起２３が突設されている。前記平面略Ｌ字状突起２３は、短辺側の側板１３，１３を起立させて長辺側の側板１５，１５と組み立てたとき、前記断面略コ字状凹部３１に挿入されて係合板３０と係合し、突起２３の先端面は突出部２５の内面に近接する。このように、突起２３と係合板３０とが係合することによって、長辺側の側板１５，１５が外側に回動するのを阻止し、堅牢な組立状態を保持することができる。
【００２７】
なお、前記平面略Ｌ字状突起２３は、上下方向に連続して一体的に形成することもできるが、実施形態に示すように複数に分割することによって形成することが好ましい。また、図示するのを省略するが、前記平面略Ｌ字状突起２３を突出部２５側の内面に設けた溝に嵌合する構成としてもよい。さらに、短辺側の側板１３，１３の上部略中央部と、長辺側の側板１５，１５の上部略中央には、容器を持ち運ぶ際に指を挿入する取っ手孔３１，３２が設けられている。
【００２８】
次に、折り畳み状態から長辺側の側板１５，１５を起立させ、次いで、短辺側の側板１３，１３を起立させたとき、短辺側の側板１３が底板方向に倒れるのを防止するためのロック部４０について説明する。前記ロック部４０は、一対の長辺側の側板１５，１５の両側端部に設けられたロックレバー４１，４１と、短辺側の側板１３，１３に装着したロック部材４３とによって構成されている。
【００２９】
前記ロックレバー４１，４１は、図２〜図４に示すように、長辺側の側板１５，１５の両端部において、上下と側板１５の側端寄りの三辺を略コ字状に切り抜いてスリット４１ａを形成し、一辺を側板と一体に連結することによって前記突出部２５側を自由端としたプレート４５を形成する。さらに、前記プレート４５の中央部を長方形状に切り抜いて透孔４６を形成し、前記プレート４５の先端部には、長辺側の側板１５，１５の内側方向に係合片４７を突設することによって形成されている。
【００３０】
前記係合片４７は、断面略三角形状に形成されていて、上面４７ａがプレート４５の上面と略同一面に水平面に形成さており、下面４７ｂがテーパ面に形成することによって先端面４７ｃは略垂直面に形成されている。前記下面４７ｂは先端面４７ｃ側が下向きとなるテーパ面に形成されている。前記プレート４５は、スリット４１ａとともに、連結している基部側に透孔４６を設けてなるから、スリット４１ａ内において係合片４７が上下方向に撓むことが可能であってバネ作用を有する。
【００３１】
一方、短辺側の側板１３の上部には、図２、図５及び図７に示すように、前記ロック部４０を構成するロック部材４３が装着されている。ロック部材４３は、操作部４８と操作部４８の先端に突設した係合突片４９とからなり、前記係合突片４９が、前記ロックレバーの係合片４７と係合する。
【００３２】
ロック部材４３は、操作部４８の両端部先端に上記係合片４７に係合する係合突片４９を水平方向に突設してなるとともに、操作部４８の下面には付勢力を与えるバネ（弾性片）５０，５０を対称に設けてなる。前記操作部４８は、略中央部外面を凹ませて指掛け用凹部４８ａを形成し、前記バネ（弾性片）５０，５０を操作部４８の下面にバネ作用を有するように斜めに突設することによって形成されている。
【００３３】
さらに、前記ロック部材４３は、図２及び図５に示すように、短辺側の側板１３、１３に形成したスリット５１、５１に操作部４８の背面に突設した矢尻状突起５３、５３を挿入することによって、上下方向にスライド可能に装着されている。前記スリット５１、５１に挿入された矢尻状突起５３、５３によって、ロック部４３は外れることがなくスリット５１、５１内を上下にスライドする。
【００３４】
なお、短辺側の側板１３、１３のロック部材４３を上下方向にスライド自在に装着するには、上記構成とは逆になるように、即ち、側板１３、１３側に矢尻状突起５３，５３を突設し、ロック部材４３の操作部４８にスリット５１，５１を設ける構成としてもよい。その他、ロック部材４３が上下動可能であれば、側板１３，１３への装着は任意の構造とすることができる。
【００３５】
次に、図１、図２、図６及び図７を参照しながらロック部４０の作用について説明する。容器を組み立てる場合は、まず、対向する長辺側の側板１５，１５を起立させ、次いで、短辺側の側板１３，１３を起立させる。側板１３，１３の上端部（ロック部材４３の装着側）を持って引き上げると、下端の回動軸を中心に回動し側板１５，１５の上端部が内面に円弧を描きながら立ち上げられる（図２参照）。
【００３６】
側板１３，１３の上端が側板１５，１５の突出部２５，２５に接近すると、操作部４８の先端に突設した係合突片４９がロックレバー４１の係合片４７の下面に当接する。
さらに、側板１３，１３を回動させると、係合突片４９と係合片４７とは互いのバネ作用によって、係合突片４９が係合片４７を押し上げ、係合片４７は係合突片４９を押し下げることになる。このとき、係合片４７の下面４７ｂは先端面４７ｃに向かって下向きのテーパ面に形成されているので、互いのバネ作用によって弱い力でも摺動させることができる。
【００３７】
そして、係合突片４９が、係合片４７の下面を摺動しながら先端面４７ｃに位置すると、ロックレバー４１のバネ作用によって係合片４７が下げられ、反対に係合突片４９が上げられるから、係合突片４９が係合片４７の先端面４７ｃ側に回り込む。このようにして、係合突片４９は、係合片４７の先端面４７ｃと突出部２５の内面との間に位置して係合片４７と係合することになる。
【００３８】
また、側板１３，１３を回動して立ち上げると、下部係合部１９が係合される。即ち、側板１３，１３が回動しながら起立するにつれて、下部係合部１９を構成する略Ｌ字形突起２３と長辺側の側板１５，１５の係合板３０，３０とが下方から順次係合する。次いで、側板１３，１３の両端部に突設した係止突部２１が、突出部２５，２５の上部に形成された透孔２０に挿入される。
【００３９】
このようにして、長辺側の側板１５，１５を起立させ、次いで、短辺側の側板１３，１３を起立させるだけで、簡単にワンタッチで容器１０を組み立てることができる。上部係合部１８は、長手側の側板１５，１５の垂直な両側端部に直角方向に突出した突出部２５に下方の係合板３０，３０よりも大きい幅寸法の枠部２７を突設するとともに、前記枠部の内側を透孔２０とし外面側の突出部２５に切欠２８を設けて短手側の側板１３，１３の係止突部２１を挿入する構成とした。従って、係止突部２１の挿入部２１ｂの長さを十分な長さとすることができ、長辺側の側板１５，１５に激しい衝撃が加えられた場合でも、透孔２０と係止突部２１との係止状態が外れることはない。
【００４０】
次に、ロック状態を解除して折り畳む場合には、ロック部材４３の操作部４８を押し下げて係合突片４９と係合片４７との係合状態を解除すればよい。即ち、係合突片４９と係合片４７との係合状態を解除するには、ロック部材４３の指掛け用凹部４８ａに指を入れてバネ（付勢板）５０に抗して下方に押し下げれば、同時に先端に突設した係合突片４９も押し下げられるので、係合突片４９の上面が係合片４７の下面よりも下方に押し下げられ、そのまま側板１３，１３を倒せばロック状態が解除されることになる。
【００４１】
係合突片４９と係合片４７との係合状態が解除されれば、組み立てるときとは反対に側板１３，１３を回動しながら内側に倒すことが可能となる。従って、ロック部材４３を押し下げたまま側板１３，１３を内側に倒し、側板１３，１３を倒す途中でロック部材４３の指掛け用凹部４８ａから指を離して押し下げを止めれば、バネ（付勢板）５０の付勢力によってロック部材４３は元の位置に復帰する。その後、側板１５，１５を内側に倒せば簡単に容器１０を折り畳むことができる。
【図面の簡単な説明】
【００４２】
【図１】この発明の組立式合成樹脂製容器の組み立て或いは折り畳み途中の斜視図である。
【図２】長辺側の側板と短辺側の側板との四隅における組み立て或いは折り畳み途中の部分拡大斜視図である。
【図３】長辺側の側板の部分拡大斜視図である。
【図４】同じく長辺側の側板を内側から見た部分拡大断面図である。
【図５】短辺側の側板を外側から見た部分拡大斜視図である。
【図６】上部係合部における係合状態を一部断面して示した平面図である。
【図７】下部係合部における係合状態を一部断面して示した平面図である。
【図８】従来例の組立式合成樹脂製容器の長辺側の側板の部分拡大斜視図である。
【図９】同じく従来例の組立式合成樹脂製容器の短辺側の側板の部分拡大斜視図である。
【符号の説明】
【００４３】
１１：方形状底板                １３：短辺側の側板
１５：長辺側の側板              １７：高さ調整部
１８：上部係合部                １９：下部係合部
２０：透孔                      ２１：係止突部
２２：係合板                    ２３：Ｌ字形突起
２５：突出部                    ２７：枠部
２８：切欠                      ３０：係合板  
３１：断面略コ字状凹部          ３３：略Ｌ字状係止片  
３５，３６：取っ手孔            ４０：ロック部
４１：ロックレバー              ４１：スリット
４３：ロック部材                ４５：プレート
４６：透孔                      ４７：係合片
４８：操作部                    ４９：係合突片
５０：バネ（弾性片）
【図１】
2010241470.tif 000003
【図２】
2010241470.tif 000004
【図３】
2010241470.tif 000005
【図４】
2010241470.tif 000006
【図５】
2010241470.tif 000007
【図６】
2010241470.tif 000008
【図７】
2010241470.tif 000009
【図８】
2010241470.tif 000010
【図９】
2010241470.tif 000011